(57)【要約】【課題】水栓が取り付けられる取付基体に確実に固定することができる水栓用固定具、及び、この水栓用固定具に取り付けられた水栓を提供する。【解決手段】本発明の水栓用固定具１は、固定台座６と、挟み込み部材８と、第１ねじ部材１０と、第２ねじ部材１２と、ガイド部材１４と、を有し、挟み込み部材の第１ねじ孔８ａが第１ねじ部材の空転区間１６内に位置して挟み込み部材が第２ねじ部材取付位置に位置決めされている場合には、第２ねじ部材のみを締め付けることにより挟み込み部材が固定台座側へ相対的に移動し、その後挟み込み部材の第１ねじ孔が第１ねじ部材のねじ山区間１８内に移動すると、第１ねじ部材と第２ねじ部材の双方を締め付けることにより挟み込み部材が挟み込み位置まで相対的に移動するように構成されている。【選択図】図３
2009215835.tif 000002
【特許請求の範囲】
【請求項１】
水栓が取り付けられる取付基体に水栓を固定するための水栓用固定具であって、
第１挿入孔及び第２挿入孔が形成されると共に上記取付基体の取付面上で且つ取付基体の取付穴と対応するように配置され、水栓が固定される固定台座と、
第１ねじ孔及び第２ねじ孔が形成されると共に、上記取付基体の取付穴に表側である取付面側から挿入された後、上記固定台座と共に上記取付基体を挟み込み位置にて表裏両側から挟み込む挟み込み部材と、
上記取付基体の取付穴に挿入されると共に、上記固定台座の第１挿入孔に挿入され且つ上記挟み込み部材の第１ねじ孔に螺合して上記固定台座と上記挟み込み部材を締結する第１ねじ部材であって、この第１ねじ部材は、上記第１ねじ孔と螺合するねじ山が設けられたねじ山区間と、ねじ山が設けられておらず上記第１ねじ孔と螺合することなく空転する空転区間と、を備えた上記第１ねじ部材と、
上記取付基体の取付穴に挿入されると共に、上記固定台座の第２挿入孔に挿入されて上記挟み込み部材の第２ねじ孔に螺合して上記固定台座と上記挟み込み部材を締結する第２ねじ部材であって、上記挟み込み部材の第１ねじ孔が上記第１ねじ部材の空転区間に位置するとき、上記挟み込み部材を上記第１ねじ部材を中心に回動させて上記固定台座の第２挿入孔と上記挟み込み部材の第２ねじ孔が対向して連通する第２ねじ部材取付位置に上記挟み込み部材が位置決めされた後に上記第２ねじ部材が上記固定台座の第２挿入孔に挿入されて上記挟み込み部材の第２ねじ孔と螺合可能となる上記第２ねじ部材と、を有し、
上記挟み込み部材の第１ねじ孔が上記第１ねじ部材の空転区間内に位置して上記挟み込み部材が上記第２ねじ部材取付位置に位置決めされているとき、上記第２ねじ部材を締め付けることにより、上記第１ねじ孔が上記第１ねじ部材の空転区間を通りながら上記挟み込み部材が上記固定台座側へ相対的に移動し、その後上記挟み込み部材の第１ねじ孔が上記第１ねじ部材のねじ山区間内に移動すると、上記第１ねじ部材と上記第２ねじ部材の双方を締め付けることにより上記挟み込み部材が上記挟み込み位置まで相対的に移動するように構成されていることを特徴とする水栓用固定具。
【請求項２】
更に、上記挟み込み部材の第１ねじ孔が上記第１ねじ部材の空転区間に位置するとき上記第１ねじ部材を中心に回動させた上記挟み込み部材を上記第２ねじ部材取付位置に位置決めする位置決め手段を有する請求項１記載の水栓用固定具。
【請求項３】
上記位置決め手段は、一端部が上記挟み込み部材に取り付けられ他端部が固定台座の中央部に形成された固定台座開口部付近まで延びるガイド部材を含み、このガイド部材は、上記挟み込み部材の第１ねじ孔が上記第１ねじ部材の空転区間内に位置するとき、上記他端部を操作することにより上記挟み込み部材を上記第１ねじ部材を中心に上記第２ねじ部材取付位置まで回動させることができるように構成されている請求項２記載の水栓用固定具。
【請求項４】
上記ガイド部材は、上記挟み込み部材が上記第１ねじ部材から抜けて脱落するのを防止する挟み込み部材脱落防止手段を含む請求項３記載の水栓用固定具。
【請求項５】
給水された水を吐止水する水栓であって、
上記水栓は、請求項１乃至４の何れか１項に記載の水栓用固定具に取り付けられて取付基体の所定位置に固定されることを特徴とする水栓。
【発明の詳細な説明】
【技術分野】
【０００１】
本発明は、水栓用固定具、及び、水栓用固定具に取り付けられた水栓に係り、特に、水栓が取り付けられる洗面台や流し台等の取付基体に水栓を固定する水栓用固定具、及び、この水栓用固定具に取り付けられた水栓に関する。
【背景技術】
【０００２】
従来から、水栓が取り付けられる洗面台や流し台等の取付基体に水栓を固定する水栓用固定具としては、取付基体であるカウンターに設けられた取付穴の上方から押さえ具を挿入した後、固定具本体と押さえ具を締結している第１のねじ部材を回転させることにより押さえ具を回転させ、この押さえ具の一部に設けられた位置決め手段が第２のねじ部材に弾性的に嵌り合うことによって第２のねじ部材が締め付け可能な位置に押さえ具が位置決めされるようになっている。また、この位置決めされた押さえ具は、２本のねじ部材で締め付けられ、水栓用固定具がカウンターに固定されるようになっている（例えば、特許文献１参照）。
【０００３】
【特許文献１】特許第３８２４６２９号公報（第５頁〜第７頁、第４図〜第８図）
【発明の開示】
【発明が解決しようとする課題】
【０００４】
しかしながら、上述した従来の水栓用固定具では、取付開始時に第１のねじ部材と押さえ具を螺合して仮固定しておく必要があるが、これらの部材を施工場所へ輸送する際に振動が加わったり、施工者の意図しない操作により仮固定が解除されてしまっている状態で第１のねじ部材を回転させてしまうと、第２のねじ部材が締結されないまま第１のねじ部材のみで固定具本体と押さえ具が締結されてしまって十分な固定強度が得られない。このため、水栓用固定具を確実にカウンターに固定することができず、第２のねじ部材を締結するために再度取付作業をやり直さなければならないという問題がある。
また、従来の水栓用固定具では、第１のねじ部材のみにより押さえ具をカウンターに当接するまで締め上げることができるが、第１のねじ部材と押さえ具との螺合面に働く摩擦力が非常に大きくなり、第１のねじ部材から押さえ具に伝わる回転トルクも大きくなるため、押さえ具の位置決め手段に過大な力が加わって破損するおそれもあり、水栓用固定具を確実にカウンターに固定することができないという問題もある。
【０００５】
そこで、本発明は、上述した従来技術の問題を解決するためになされたものであり、水栓が取り付けられる取付基体に確実に固定することができる水栓用固定具、及び、この水栓用固定具に取り付けられた水栓を提供することを目的としている。
【課題を解決するための手段】
【０００６】
上記の目的を達成するために、本発明は、水栓が取り付けられる取付基体に水栓を固定するための水栓用固定具であって、第１挿入孔及び第２挿入孔が形成されると共に上記取付基体の取付面上で且つ取付基体の取付穴と対応するように配置され、水栓が固定される固定台座と、第１ねじ孔及び第２ねじ孔が形成されると共に、上記取付基体の取付穴に表側である取付面側から挿入された後、上記固定台座と共に上記取付基体を挟み込み位置にて表裏両側から挟み込む挟み込み部材と、上記取付基体の取付穴に挿入されると共に、上記固定台座の第１挿入孔に挿入され且つ上記挟み込み部材の第１ねじ孔に螺合して上記固定台座と上記挟み込み部材を締結する第１ねじ部材であって、この第１ねじ部材は、上記第１ねじ孔と螺合するねじ山が設けられたねじ山区間と、ねじ山が設けられておらず上記第１ねじ孔と螺合することなく空転する空転区間と、を備えた上記第１ねじ部材と、上記取付基体の取付穴に挿入されると共に、上記固定台座の第２挿入孔に挿入されて上記挟み込み部材の第２ねじ孔に螺合して上記固定台座と上記挟み込み部材を締結する第２ねじ部材であって、上記挟み込み部材の第１ねじ孔が上記第１ねじ部材の空転区間に位置するとき、上記挟み込み部材を上記第１ねじ部材を中心に回動させて上記固定台座の第２挿入孔と上記挟み込み部材の第２ねじ孔が対向して連通する第２ねじ部材取付位置に上記挟み込み部材が位置決めされた後に上記第２ねじ部材が上記固定台座の第２挿入孔に挿入されて上記挟み込み部材の第２ねじ孔と螺合可能となる上記第２ねじ部材と、を有し、上記挟み込み部材の第１ねじ孔が上記第１ねじ部材の空転区間内に位置して上記挟み込み部材が上記第２ねじ部材取付位置に位置決めされているとき、上記第２ねじ部材を締め付けることにより、上記第１ねじ孔が上記第１ねじ部材の空転区間を通りながら上記挟み込み部材が上記固定台座側へ相対的に移動し、その後上記挟み込み部材の第１ねじ孔が上記第１ねじ部材のねじ山区間内に移動すると、上記第１ねじ部材と上記第２ねじ部材の双方を締め付けることにより上記挟み込み部材が上記挟み込み位置まで相対的に移動するように構成されていることを特徴としている。
このように構成された本発明の水栓用固定具においては、挟み込み部材の第１ねじ孔が第１ねじ部材の空転区間内に位置して挟み込み部材が第２ねじ部材取付位置に位置決めされている状態では、第１ねじ部材を締め付けるように回転させても第１ねじ部材は挟み込み部材の第１ねじ孔の中で空転し、挟み込み部材は固定台座に対して相対的に移動することなく留まるが、第２ねじ部材を螺合回転させて締め付けることにより挟み込み部材は固定台座側に相対的に移動する。その後、挟み込み部材の第１ねじ孔が第１ねじ部材のねじ山区間内に移動すると、第１ねじ部材と第２ねじ部材の双方を締め付けることにより上記挟み込み部材が挟み込み位置まで相対的に移動する。この結果、これら２つの第１ねじ部材と第２ねじ部材により挟み込み部材と固定台座が確実に締結され、固定台座が取付基体の取付面の表側に確実に固定されると共に挟み込み部材が挟み込み位置で取付基体の取付面の裏側に確実に固定される。したがって、取付基体の取付面が固定台座と挟み込み部材により表裏両側から確実に挟み込まれるため、水栓用固定具を取付基体に確実に固定することができる。
【０００７】
本発明において、更に、上記挟み込み部材の第１ねじ孔が上記第１ねじ部材の空転区間に位置するとき上記第１ねじ部材を中心に回動させた上記挟み込み部材を上記第２ねじ部材取付位置に位置決めする位置決め手段を有することが好ましい。
このように構成された本発明の水栓用固定具においては、第２ねじ部材を固定台座の第２挿入孔と挟み込み部材の第２ねじ孔に挿入する前に位置決め手段により挟み込み部材を第２ねじ部材取付位置に容易に位置決めすることができるため、水栓用固定具を取付基体に取り付ける作業が容易となる。
【０００８】
本発明において、上記位置決め手段は、一端部が上記挟み込み部材に取り付けられ他端部が固定台座の中央部に形成された固定台座開口部付近まで延びるガイド部材を含み、このガイド部材は、上記挟み込み部材の第１ねじ孔が上記第１ねじ部材の空転区間内に位置するとき、上記他端部を操作することにより上記挟み込み部材を上記第１ねじ部材を中心に上記第２ねじ部材取付位置まで回動させることができるように構成されていることが好ましい。
このように構成された本発明の水栓においては、第２ねじ部材を固定台座の第２挿入孔と挟み込み部材の第２ねじ孔に挿入する前に位置決め手段のガイド部材を操作することにより挟み込み部材を第１ねじ部材を中心に第２ねじ部材取付位置まで回動させて容易に位置決めすることができるため、水栓用固定具を取付基体に取り付ける作業が容易となる。
【０００９】
本発明において、上記ガイド部材は、上記挟み込み部材が上記第１ねじ部材から抜けて脱落するのを防止する挟み込み部材脱落防止手段を含むことが好ましい。
このように構成された本発明の水栓においては、水栓用固定具を取付基体に取り付ける作業中、挟み込み部材脱落防止手段により挟み込み部材が第１ねじ部材から抜けて脱落することがないため取付作業が容易となる。
【００１０】
本発明は、給水された水を吐止水する水栓であって、上記水栓は、上記水栓用固定具に取り付けられて取付基体の所定位置に固定されることを特徴としている。
このように構成された本発明の水栓においては、水栓を水栓用固定具に取り付けることにより取付基体の所定位置に確実に固定することができる。
【発明の効果】
【００１１】
本発明の水栓用固定具、及び、この水栓用固定具に取り付けられた水栓によれば、水栓が取り付けられる取付基体に確実に固定することができる。
【発明を実施するための最良の形態】
【００１２】
以下、添付図面を参照して本発明の水栓用固定具、及び、この水栓用固定具に取り付けられた水栓の実施形態について説明する。
図１は、本発明の第１実施形態による水栓用固定具とこの水栓用固定具に取り付けられた水栓を示す概略図である。図１に示すように、本実施形態の水栓用固定具１は、水栓２が取り付けられる取付基体である流し台等のカウンター４に水栓２を固定するものである。この水栓用固定具１は、カウンター４の表側取付面４ａ上に配置されて水栓２の接続部２ａが接続される固定台座６を備えている。
また、水栓用固定具１は、馬蹄形状の挟み込み部材８を備え、この挟み込み部材８は、カウンター４の取付穴４ｂに挿入されて所定の位置に位置決めされた後、カウンター４の表側取付面４ａ上に配置された固定台座６と共にカウンター４の裏側取付面４ｃからカウンタ４を挟み込むようになっている。
さらに、水栓用固定具１は、詳細は後述する第１ねじ部材１０と第２ねじ部材１２を備えており、これらの第１ねじ部材１０と第２ねじ部材１２を締め付けることにより、固定台座６と挟み込み部材８が締結されて水栓用固定具１がカウンター４の取付面に固定されるようになっている。
また、水栓用固定具１は、挟み込み部材８の位置決め手段であるガイド部材１４（詳細は後述する）を備え、このガイド部材１４を操作することにより、挟み込み部材８がカウンター４の取付穴４ｂから挿入される前と挿入された後おいてそれぞれの所定の角度α，βに固定されるようになっている。
なお、挟み込み部材８がカウンター４の取付穴４ｂから挿入される前と挿入された後おいてそれぞれの所定の角度α，βに固定される位置決め方法や、固定台座６と挟み込み部材８を第１ねじ部材１０と第２ねじ部材１２で締結する締結方法等に関する説明や、水栓用固定具１がカウンター４に取り付けられるまでの一連の取付方法に関する説明については後述する。
【００１３】
つぎに、上述した第１ねじ部材１０、第２ねじ部材１２、及び、ガイド部材１４の構成について詳細に説明する。
図２は図１に示す本実施形態の水栓用固定具を斜め後方より見た斜視図であり、図３は図１に示す本実施形態の水栓用固定具の背面図である。ここで、図２及び図３に示す本実施形態の水栓用固定具１は、挟み込み部材８が第１ねじ部材１０と第２ねじ部材１２によって実質的に締め付けられて挟み込み部材８の固定台座６側への引き上げが開始される前の状態（以下「状態Ｈ０」と呼ぶ）を示しており、この状態Ｈ０ではカウンター４の取付面は固定台座６と挟み込み部材８によって挟み込まれていない。
まず、第１ねじ部材１０は、固定台座６の第１挿入孔６ａに挿入されて取付穴４ｂ及び挟み込み部材８の第１ねじ孔８ａに挿入されるようになっている。第１ねじ部材１０は、空転区間１６とねじ山区間１８を備えている。空転区間１６は、第１ねじ部材１０の下端部１６ａから軸方向上方にかけて所定長さ分ねじ山が設けられていない区間であり、第１ねじ部材１０の空転区間１６が挟み込み部材８の第１ねじ孔８ａに挿入されている状態では、第１ねじ部材１０が第１ねじ孔８ａと螺合することなく空転するようになっている。一方、ねじ山区間１８は、挟み込み部材８の第１ねじ孔８ａに螺合可能なねじ山が設けられた区間であり、第１ねじ部材１０がカウンター４の表側取付面４ａ上に配置された固定台座６の第１挿入孔６ａに挿入されている状態では、空転区間１６が終了する空転区間終了部１６ｂがねじ山区間開始部１８ａとなって軸方向上方に延びてねじ山区間終了部１８ｂが取付穴４ｂ内に位置するようになっている。
また、第１ねじ部材１０は、挟み込み部材８を取付穴４ｂから挿入する前に、予め第１ねじ部材１０のみを固定台座６の第１挿入孔６ａに挿入して挟み込み部材８の第１ねじ孔８ａに挿入して組み立てた状態（以下「状態Ｏ」と呼ぶ）にしておくことが好ましい。この状態Ｏでは、挟み込み部材８の第１ねじ孔８ａが第１ねじ部材１０の空転区間１６に位置している状態となっており、挟み込み部材８が取付穴４ｂからカウンター４の裏側へ挿入可能な状態となっている。また、第１ねじ部材１０の下端部１６ａは挟み込み部材８の第１ねじ孔８ａを貫いてガイド部材１４の下端部１４ａによって回動可能に保持されている。
【００１４】
つぎに、第２ねじ部材１２は、固定台座６の第２挿入孔６ｂに挿入されて取付穴４ｂ及び挟み込み部材８の第２ねじ孔８ｂに挿入されるようになっている。より具体的には、上述した第１ねじ部材１０のみが固定台座６の第１挿入孔６ａに挿入されて取付穴４ｂ及び挟み込み部材８の第１ねじ孔８ａに挿入された状態Ｏにおける挟み込み部材８について、ガイド部材１４を操作することにより、挟み込み部材８を第１ねじ部材１０を中心に回動させて固定台座６の第２挿入孔６ｂと挟み込み部材８の第２ねじ孔８ｂが対向して連通する位置（以下「第２ねじ部材取付位置」と呼ぶ）に挟み込み部材８を一旦位置決めする。その後、第２ねじ部材１２が固定台座６の第２挿入孔６ｂに挿入され、挟み込み部材８の第２ねじ孔８ｂに螺合するようになっている。
また、図３に示すように、第２ねじ部材１２は、第１ねじ部材１０と同様にねじ山区間２２を備えているが、第２ねじ部材１２のねじ山区間２２は第１ねじ部材１０のねじ山区間１８よりも長く、従って、第２ねじ部材１２のねじ山区間２２の下端は第１ねじ部材１０のねじ山区間１８の下端よりも下方であって挟み込み部材８に近く位置するようになっている。したがって、図３に示す状態Ｈ０の挟み込み部材８においては、第１ねじ部材１０の空転区間１６の部分が挟み込み部材８の第１ねじ孔８ａ内を空転し、第２ねじ部材１２のねじ山区間２２の一部が挟み込み部材８の第２ねじ孔８ｂに螺合している状態になっている。さらに、挟み込み部材８の第１ねじ孔８ｂが第１ねじ部材１０の空転区間１６内に位置して挟み込み部材８が第２ねじ部材取付位置に位置決めされている場合では、第２ねじ部材１２のみを締め付けることにより挟み込み部材８が固定台座６側へ相対的に移動して上昇し、その後挟み込み部材８の第１ねじ孔８ａが第１ねじ部材１０のねじ山区間１８内に移動すると、第１ねじ部材１０と第２ねじ部材１２の双方をさらに締め付けることにより挟み込み部材８が固定台座６側へさらに相対的に移動してさらに引き上げられた状態（以下「状態Ｈ１」と呼ぶ）となり（図３参照）、最終的には、第１ねじ部材１０と第２ねじ部材１２の双方を完全に締め付けることにより、挟み込み部材８の上面８ｃがカウンター４の裏側取付面４ｃに当接する挟み込み位置まで移動し、カウンター４が固定台座６の下面６ｃと挟み込み部材８の上面８ｃによって挟み込まれて水栓用固定具１が取付穴４ｂに完全に固定された状態（以下「状態Ｈ２」と呼ぶ）になるようになっている（図３参照）。
【００１５】
つぎに、図２及び図３に示すように、ガイド部材１４は、固定台座６の第１挿入孔６ａに対して第１ねじ部材１０を中心に回動可能に取り付けられている。ガイド部材１４の下端部１４ａは、挟み込み部材８の第１ねじ孔８ａを貫く第１ねじ部材１０の下端部１６ａを回動可能に保持している。また、このガイド部材１４の下端部１４ａは、第１ねじ部材１０の下端部１６ａの外周方向に突出する突出部２３を形成しており、この突出部２３は、挟み込み部材８が第１ねじ部材１０の下端部１６ａから抜けて脱落するのを防止する挟み込み部材脱落防止手段を構成している。この突出部２３は、上方に突出して挟み込み部材８を下方から保持する保持突起２３ａを含み、この保持突起２３ａが挟み込み部材８を保持することにより、第１ねじ部材１０の空転区間１６に位置する挟み込み部材８がガイド部材１４と共に第１ねじ部材１０を中心に回動可能となっている。
また、ガイド部材１４の上端部１４ｂは操作レバー２４を備え、この操作レバー２４は、固定台座６の中央部に形成された固定台座開口部６ｄ付近に位置し、上述した状態Ｏにおける挟み込み部材８が第１ねじ部材１０の軸回りに回動するのを規制操作する操作部を構成している。
さらに、ガイド部材１４、下端部１４ａと上端部１４ｂとの間に設けられ挟み込み部材８の所定位置に当接する挟み込み部材当接部２６を備え、この挟み込み部材当接部２６は、第１ねじ部材１０が固定台座６の第１挿入孔６ａと挟み込み部材８の第１ねじ孔８ａに挿入された状態の挟み込み部材８の内周面８ｄの所定位置に当接することにより挟み込み部材８が第１固定角度α（詳細は後述する）又は第２固定角度β（詳細は後述する）に固定されるようになっている。
【００１６】
図４は、図２に示す本実施形態の水栓用固定具の平面図である。図２〜図４に示すように、ガイド部材１４の操作レバー２４は、固定台座開口部６ｄの内周面の所定位置に当接する固定台座当接部２４ａを含み、操作レバー２４が第１ねじ部材１０の軸回りに回動して固定台座当接部２４ａが固定台座開口部６ｄの所定位置に当接して回動が状態Ｌ１又は状態Ｌ２に規制されることにより、挟み込み部材８がこの操作レバー２４の状態Ｌ１，Ｌ２に対応して第１固定角度α又は第２固定角度βに固定されるようになっている。
ここで、状態Ｏの挟み込み部材８の第１ねじ孔８ａ又は第１ねじ部材１０の中心をＰとし、操作レバー２４を状態Ｌ１及びＬ２にそれぞれ設定したときの挟み込み部材８の第２ねじ孔８ｂの中心をそれぞれＱ１及びＱ２とすると、操作レバー２４を状態Ｌ１から状態Ｌ２に設定することにより、第１固定角度αに固定されていた挟み込み部材８の第２ねじ孔８ｂの中心Ｑ１が第１ねじ部材１０の中心Ｐを中心に回動角度θ（＝β−α）だけ回動してＱ２まで移動した後に固定されるようになっている。
すなわち、上述した第１固定角度αは、操作レバー２４を状態Ｌ１に設定した状態の挟み込み部材８の固定角度であり、かつ挟み込み部材８が取付穴４ｂからカウンター４の裏側へ挿入可能な状態Ｏに固定された挟み込み部材８の中心Ｐ回りの固定角度である。
一方、挟み込み部材８の第２固定角度βは、操作レバー２４を状態Ｌ２に設定した状態の挟み込み部材８の固定角度であり、かつ第１固定角度αに固定された挟み込み部材８が取付穴４ｂに挿入された後に第２ねじ部材１２が固定台座６の第２挿入孔６ｂと挟み込み部材８の第２ねじ孔８ｂに挿入可能となる挟み込み部材８の固定角度である。また、第２固定角度βに固定された状態の挟み込み部材８は、固定台座６の第２挿入孔６ｂと挟み込み部材８の第２ねじ孔８ｂが対向して連通する第２ねじ部材取付位置に位置決めされており、第１ねじ部材１０及び第２ねじ部材１２を締め付けることにより、挟み込み部材８はガイド部材１４の挟み込み部材当接部２６に当接しながらこれに沿って固定台座６側へ相対的に移動すると共に、ガイド部材１４及びその操作レバー２４に対しても相対的に移動するようになっている。
【００１７】
つぎに、本実施形態の水栓用固定具１がカウンター４に取り付けられるまでの一連の取付方法について説明する。
図５は本実施形態の水栓用固定具において挟み込み部材をカウンターの取付穴より挿入するときの状態を示す概略斜視図である。また、図６は本実施形態の水栓用固定具においてガイド部材の操作レバーが状態Ｌ１に設定されている状態で挟み込み部材をカウンターの取付穴より完全に挿入した状態を示す概略斜視図である。さらに、図７は本実施形態の水栓用固定具においてガイド部材の操作レバーが状態Ｌ２に設定された後、第２ねじ部材が取り付けられる前の状態を示す概略斜視図である。
まず、図５に示すように、水栓用固定具１をカウンター４に取り付ける際、挟み込み部材８を取付穴４ｂから挿入する前に、予め第１ねじ部材１０のみを固定台座６の第１挿入孔６ａに挿入して挟み込み部材８の第１ねじ孔８ａに挿入し、固定台座６、挟み込み部材８、及び、ガイド部材１４を組み立てて状態Ｏにした後、ガイド部材１４の操作レバー２４を状態Ｌ１に設定して挟み込み部材８を第１固定角度αに固定する。
つぎに、図６に示すように、ガイド部材１４の操作レバー２４を状態Ｌ１に設定して挟み込み部材８を第１固定角度αに固定したまま、挟み込み部材８を取付穴４ｂより完全に挿入した状態（以下「状態Ｐ」と呼ぶ）にする。このとき、固定台座６の下面６ｃは、カウンター４の表側取付面４ａに配置されて、固定台座開口部６ｄと取付穴４ｂが連通した状態となっている。
また、図７に示すように、図６の状態Ｐの水栓用固定具１においてガイド部材１４の操作レバー２４を状態Ｌ２に設定し、挟み込み部材８を第２ねじ部材取付位置に位置決めすることにより、固定台座６の第２挿入孔６ｂと挟み込み部材８の第２ねじ孔８ｂが対向して第２ねじ部材１２を挿通可能な状態（以下「状態Ｑ」と呼ぶ）に設定する。
さらに、固定台座６の第２挿入孔６ｂと挟み込み部材８の第２ねじ孔８ｂが対向している状態Ｑに第２ねじ部材１２を挿入して、第２ねじ部材１２のねじ山区間２２の始端部をねじ込むと、図２及び図３に示すような挟み込み部材８が第１ねじ部材１０と第２ねじ部材１２によって実質的に締め付けられて挟み込み部材８の固定台座６側への引き上げが開始される前の状態Ｈ０となる。この状態Ｈ０の挟み込み部材８においては、第１ねじ部材１０の空転区間１６の部分が挟み込み部材８の第１ねじ孔８ａ内を空転し、第２ねじ部材１２のねじ山区間２２の一部が挟み込み部材８の第２ねじ孔８ｂに螺合している状態になっている。さらに、第２ねじ部材１２のみを締め付けることにより挟み込み部材８を固定台座６側へ相対的に移動させて上昇させ、その後挟み込み部材８の第１ねじ孔８ａを第１ねじ部材１０のねじ山区間１８内に移動させる。その後、第１ねじ部材１０と第２ねじ部材１２の双方をさらに締め付けることにより挟み込み部材８を固定台座６側へさらに相対的に移動させてさらに引き上げた状態Ｈ１となる（図３参照）。
最終的には、第１ねじ部材１０と第２ねじ部材１２の双方を完全に締め付けることにより、挟み込み部材８の上面８ｃがカウンター４の裏側取付面４ｃに当接してカウンター４が固定台座６の下面６ｃと挟み込み部材８の上面８ｃによって挟み込まれて水栓用固定具１が取付穴４ｂに完全に固定された状態Ｈ２となり（図３参照）、水栓用固定具１のカウンター４への取付作業が完了となる。さらに、この状態Ｈ２の水栓用固定具１の固定台座６に水栓２の接続部２ａが接続されると、水栓２のカウンター４への取付作業が完了となる。
【００１８】
上述した本発明の第１実施形態による水栓用固定具１によれば、挟み込み部材８の第１ねじ孔８ａが第１ねじ部材１０の空転区間１６内に位置して挟み込み部材８が第２ねじ部材取付位置に位置決めされている状態Ｈ０では、第１ねじ部材１０を締め付けるように回転させても第１ねじ部材１０は挟み込み部材８の第１ねじ孔８ａの中で空転し、挟み込み部材８は固定台座６に対して相対的に移動することなく留まるが、第２ねじ部材１２のみを螺合回転させて締め付けることにより挟み込み部材８は固定台座６側に相対的に移動する。その後、挟み込み部材８の第１ねじ孔８ａが第１ねじ部材１０のねじ山区間１８内に移動すると、第１ねじ部材１０と第２ねじ部材１２の双方を締め付けることにより挟み込み部材８が固定台座６側へさらに相対的に移動した状態Ｈ１となる。この結果、これら２つの第１ねじ部材１０と第２ねじ部材１２により挟み込み部材８と固定台座６が確実に締結され、固定台座６がカウンター４の表側取付面４ａに確実に固定されると共に挟み込み部材８がカウンター４の裏側取付面４ｃに確実に固定されてカウンター４の取付面が固定台座６と挟み込み部材８により表裏両側から確実に挟み込まれるため、水栓用固定具１をカウンター４に確実に固定することができる。
また、本実施形態による水栓用固定具１によれば、挟み込み部材８を取付穴４ｂから挿入する前に、ガイド部材１４の操作レバー２４を状態Ｌ１に設定して挟み込み部材８を取付穴４ｂから挿入しやすい第１固定角度αに固定することができると共に、第２ねじ部材１２を固定台座６の第２挿入孔６ｂと挟み込み部材８の第２ねじ孔８ｂに挿入する前にガイド部材１４の操作レバー２４を状態Ｌ２に設定することにより、挟み込み部材８を第２ねじ部材取付位置に容易に位置決めすることができるため取付作業が容易となる。
さらに、本実施形態による水栓用固定具１によれば、ガイド部材１４の突出部２３が、挟み込み部材８が第１ねじ部材１０から抜けて脱落するのを防止するため、水栓用固定具１をカウンター４に取り付ける作業中、挟み込み部材８が第１ねじ部材１０から抜けて脱落することがないため取付作業が容易となる。
また、本実施形態による水栓用固定具１によれば、水栓２を水栓用固定具１に取り付けることによりカウンター４の取付面に確実に水栓２を固定することができる。
【００１９】
つぎに、本発明の第２実施形態による水栓用固定具について説明する。
図８は、本発明の第２実施形態の水栓用固定具を示す概略斜視図である。ここで、図８において、上述した第１実施形態の水栓固定具の部分と同一の部分については、同一の符号を付し、これらの説明は省略する。
図８に示すように、本実施形態の水栓用固定具５０においては、第１実施形態の第１ねじ部材１０に相当する第１ねじ部材５２が複数の空転区間５４ａ，５４ｂとねじ山区間５６ａ，５６ｂを備えている点で第１実施形態の水栓用固定具１の構成と異なっている。
より具体的には、第１ねじ部材５２は、下端部５２ａから軸方向上方にかけて所定長さ分の第１の空転区間５４ａが設けられ、この第１の空転区間５４ａの次に所定長さ分の第１のねじ山区間５６ａが設けられている。さらに、このねじ山区間５６ａの次には第２の空転区間５４ｂが設けられ、この第２の空転区間５４ｂの次に所定長さ分の第２のねじ山区間５６ｂが設けられている。
また、第１ねじ部材５２の下端部５２ａは、挟み込み部材５８が第１ねじ部材５２の下端部５２ａから抜けて脱落するのを防止する挟み込み部材脱落防止手段であるストッパー６０を備えている。
さらに、ガイド部材６２は、第１実施形態のガイド部材１４と異なり、上端部が固定台座６に固定されて第１ねじ部材５２と軸方向に平行に延びるピン状の部材となっており、挟み込み部材５８の内周部の一部がガイド部材６２に当接することにより、挟み込み部材５８が固定台座６の第２挿入孔６ｂと挟み込み部材５８の第２ねじ孔５８ｂが対向して連通する第２ねじ部材取付位置になるように位置決めされるようになっている。
【００２０】
このように構成された本実施形態の水栓用固定具５０によれば、挟み込み部材５８が第１ねじ部材５２の第１の空転区間５４ａと第２の空転区間５４ｂに位置するときには、第１ねじ部材５２を締め付けるように回転させても第１ねじ部材５２は挟み込み部材５８の第１ねじ孔５８ａの中で空転し、挟み込み部材５８は固定台座６に対して相対的に移動することなく留まるが、第２ねじ部材１２のみを螺合回転させて締め付けることにより挟み込み部材５８は固定台座６側に相対的に移動する。
一方、挟み込み部材５８が第１ねじ部材５２のねじ山区間５６ａ，５６ｂ内に移動すると、第１ねじ部材５２と第２ねじ部材１２の双方を締め付けることにより挟み込み部材８が固定台座６側へさらに相対的に移動する。この結果、これら２つの第１ねじ部材５２と第２ねじ部材１２により挟み込み部材５８と固定台座６が確実に締結され、固定台座６がカウンター４の表側取付面４ａに確実に固定されると共に挟み込み部材５８がカウンター４の裏側取付面４ｃに確実に固定されてカウンター４の取付面が固定台座６と挟み込み部材５８により表裏両側から確実に挟み込まれるため、水栓用固定具１をカウンター４に確実に固定することができる。
【図面の簡単な説明】
【００２１】
【図１】本発明の第１実施形態による水栓用固定具とこの水栓用固定具に取り付けられた水栓を示す概略図である。
【図２】本発明の第１実施形態の水栓用固定具を斜め後方より見た斜視図である。
【図３】本発明の第１実施形態の水栓用固定具の背面図である。
【図４】本発明の第１実施形態の水栓用固定具の平面図である。
【図５】本発明の第１実施形態の水栓用固定具において挟み込み部材をカウンターの取付穴より挿入するときの状態を示す概略斜視図である。
【図６】本発明の第１実施形態の水栓用固定具においてガイド部材の操作レバーが状態Ｌ１に設定されている状態で挟み込み部材をカウンターの取付穴より完全に挿入した状態を示す概略斜視図である。
【図７】本発明の第１実施形態の水栓用固定具においてガイド部材の操作レバーが状態Ｌ２に設定された後、第２ねじ部材が取り付けられる前の状態を示す概略斜視図である。
【図８】本発明の第２実施形態の水栓用固定具を示す概略斜視図である。
【符号の説明】
【００２２】
１，５０  水栓用固定具
２  水栓
４  カウンター
４ａ  カウンターの表側取付面
４ｂ  カウンターの取付穴
６  固定台座
８，５８  挟み込み部材
１０，５２  第１ねじ部材
１２  第２ねじ部材
１４，６２  ガイド部材
１４ａ  ガイド部材の下端部
１４ｂ  ガイド部材の上端部
１６，５４ａ，５４ｂ  第１ねじ部材の空転区間
１８，５６ａ，５６ｂ  第１ねじ部材のねじ山区間
２０  第２ねじ部材の空転区間
２２  第２ねじ部材のねじ山区間
２４  ガイド部材の操作レバー
２４ａ  ガイド部材の操作レバーの固定台座当接部
２６  ガイド部材の挟み込み部材当接部
【図１】
2009215835.tif 000003
【図２】
2009215835.tif 000004
【図３】
2009215835.tif 000005
【図４】
2009215835.tif 000006
【図５】
2009215835.tif 000007
【図６】
2009215835.tif 000008
【図７】
2009215835.tif 000009
【図８】
2009215835.tif 000010